(57)【要約】      （修正有）【課題】  多チャンネル表示が可能な画像処理装置において、各チャンネルの選択動作を容易に行えるようにする。【解決手段】  入力部には、座標検出装置とスイッチ素子とが設けられている。画面２０にはメイン情報に対応するインデックスＩ１〜Ｉ９が配列して表示されている、入力部の操作面に指を触れて走査すると、その走査位置に対応したインデックスが他のインデックスから識別できるように表示される。いずれかのインデックスを選択表示して、前期スイッチ素子を押すと、選択されたインデックスに相当するメイン情報が読み出されて表示される。【選択図】図６
2005340869.tif 000002
【特許請求の範囲】
【請求項１】
操作信号を与える入力部と、前記操作信号に応じて表示部の表示状態を制御する表示制御部とが設けられた画像処理装置において、
前記入力部は、操作面を有し、操作信号として、前記操作面上で移動する操作体の操作位置を検出する位置検出信号と、いずれかの前記操作位置で選択確定操作を行ったときの選択確定信号とを出力可能であり、
前記表示部に複数のインデックスが表示された状態で、前記入力部から前記位置検出信号が出力されたときに、前記表示制御部は、前記操作面上の操作位置に対応するインデックスを選択表示するとともに、前記選択確定信号が出力されたときに、選択表示されている前記インデックスに対応するメイン情報を読み出して表示することを特徴とする画像処理装置。
【請求項２】
画面に表示された複数のインデックスのうちの選択されたものが他のインデックスと異なる状態で表示される請求項１記載の画像処理装置。
【請求項３】
前記入力部の前記操作面には、選択確定操作を行う複数の選択位置が表示されており、この選択位置の数および配列が、前記表示部に表示されている選択すべき複数のインデックスの数および配列に対応している請求項１または２記載の画像処理装置。
【請求項４】
前記入力部には、前記位置検出信号を出力する座標検出手段と、前記座標検出手段による検出範囲内に設けられて前記選択確定信号を出力するスイッチ入力部とがそれぞれ設けられている請求項１ないし３のいずれかに記載の画像処理装置。
【請求項５】
前記入力部には、前記位置検出信号と前記選択確定信号の双方を出力する座標検出手段が設けられている請求項１ないし３のいずれかに記載の画像処理装置。
【請求項６】
前記入力部は、インデックス集合の切換信号を出力可能であり、この切換信号が出力されたときに、前記表示制御部は、前記表示部に表示されたインデックスの複数を集合として、この集合を入れ替える表示処理を行う請求項１ないし５のいずれかに記載の画像処理装置。
【請求項７】
前記入力部は、インデックスの切換信号を出力可能であり、この切換信号が出力されたときに、前記表示制御部は、前記表示部に表示されたインデックスの一部を入れ替える表示処理を行う請求項１ないし５のいずれかに記載の画像処理装置。
【請求項８】
前記インデックスを入れ替える前記切換信号を出力する別個のスイッチ入力部が設けられている請求項６または７記載の画像処理装置。
【請求項９】
前記前記位置検出信号と前記選択確定信号の少なくとも一方を利用して、前記インデックスを入れ替える前記切換信号が生成される請求項６または７記載の画像処理装置。
【請求項１０】
前記メイン情報は、所定の時間長の画像情報であり、前記インデックスは、前記画像情報のタイトル表示である請求項１ないし９のいずれかに記載の画像処理装置。
【請求項１１】
前記メイン情報は、前記表示部に一度に表示可能な画像情報であり、前記インデックスは、前記画像情報の縮小表示または簡易化表示である請求項１ないし９のいずれかに記載の画像処理装置。
【請求項１２】
前記メイン情報は、画像処理装置の操作情報表示または設定操作表示であり、前記インデックスは、前記操作情報表示または設定操作表示のタイトル表示である請求項１ないし９のいずれかに記載の画像処理装置。
【発明の詳細な説明】
【技術分野】
【０００１】
本発明は、表示部に多種の情報が表示される画像処理装置に係り、特に多種の情報を容易に検索して表示することが可能な画像処理装置に関する。
【背景技術】
【０００２】
現在、画像情報を表示する表示装置は多機能化しており、例えばディジタル受信方式のテレビジョンでは、視聴者が選択するチャンネル数が数十から数百にも及んでいる。前記テレビジョン受像機以外でも銀行やその他の各種情報の販売拠点に設置される各種端末装置も使用者が選択すべき情報チャンネルが多くなっている。これは携帯用情報端末機器などにおいても同様である。
【０００３】
前記テレビジョン受像機や各種端末装置を操作する入力装置としては、機器本体とワイヤレスまたはワイヤで接続されたリモコンが使用され、または機器本体と一体のものが使用される。
【０００４】
しかし、従来の入力装置は、テンキー式やキーボード方式が主であるため、表示部に表示させるべき多量の情報と操作部とが対応しておらず、例えばリモコンに設けられたいずれかの押釦を何度も押して、所望の情報が表示されるまでその操作を繰り返す必要があり、操作がきわめて煩雑であった。
【０００５】
以下の特許文献１には、平面型の座標検出装置と、テンキー式のスイッチとが組み合わされた入力装置が開示されている。この入力装置では、座標検出装置からの位置検出信号と、前記スイッチからの入力信号の双方を利用することにより、多種の情報の入力を行うことが可能である。しかしながら、前記のように多量の情報が表示される表示装置に前記入力装置を使用したとしても、やはりいずれかの操作により画面を順次呼び出すことが必要となり、多量の情報からいずれかの情報を選択する際には煩雑さを避けることができない。
【特許文献１】特開２００２−１２３３６３号公報
【発明の開示】
【発明が解決しようとする課題】
【０００６】
本発明は前記従来の課題を解決するものであり、多量の情報が表示される表示部を有するものにおいて、操作面上での操作位置と画面での表示状態を対応させて、操作者が直感的に情報を容易に選択できるようにし、多量の情報の読み出しを、煩雑さを感じることなく行うことができる画像表示装置を提供するものである。
【課題を解決するための手段】
【０００７】
本発明は、操作信号を与える入力部と、前記操作信号に応じて表示部の表示状態を制御する表示制御部とが設けられた画像処理装置において、
前記入力部は、操作面を有し、操作信号として、前記操作面上で移動する操作体の操作位置を検出する位置検出信号と、いずれかの前記操作位置で選択確定操作を行ったときの選択確定信号とを出力可能であり、
前記表示部に複数のインデックスが表示された状態で、前記入力部から前記位置検出信号が出力されたときに、前記表示制御部は、前記操作面上の操作位置に対応するインデックスを選択表示するとともに、前記選択確定信号が出力されたときに、選択表示されている前記インデックスに対応するメイン情報を読み出して表示することを特徴とするものである。
【０００８】
本発明の画像処理装置では、操作部の操作面上で指などの操作体を移動させることで、画面に表示された複数のインデックスを選択表示することができるため、画面に表示されたインデックスが多数であっても選択が可能である。そして、いずれかのインデックスが選択されているときに、そのインデックスの選択確定操作を行うことによって、前記インデックスに対応した情報を直ちに読み出すことができる。
【０００９】
例えば、画面に表示された複数のインデックスのうちの選択されたものが他のインデックスと異なる状態で表示されるものである。
【００１０】
さらに本発明は、前記入力部の前記操作面には、選択確定操作を行う複数の選択位置が表示されており、この選択位置の数および配列が、前記表示部に表示されている選択すべき複数のインデックスの数および配列に対応している。
【００１１】
操作面上の選択位置の表示と、表示部に表示されている選択すべきインデックスの数および配列が対応していると、操作部の操作面を見ることなく、操作面上で指などを動かしてインデックスを選択表示させた後に、その位置で指に確定操作を行わせることにより、直ちにメイン情報を読み出すことができる。
【００１２】
本発明は、前記入力部には、前記位置検出信号を出力する座標検出手段と、前記座標検出手段による検出範囲内に設けられて前記選択確定信号を出力するスイッチ入力部とがそれぞれ設けられているものとして構成できる。
【００１３】
あるいは、前記入力部には、前記位置検出信号と前記選択確定信号の双方を出力する座標検出手段が設けられているものであってもよい。
【００１４】
さらに本発明は、前記入力部は、インデックス集合の切換信号を出力可能であり、この切換信号が出力されたときに、前記表示制御部は、前記表示部に表示されたインデックスの複数を集合として、この集合を入れ替える表示処理を行うものである。
【００１５】
前記切換信号を出力することにより、画面に表示されたインデックスの集合をそれ全体として異なるものに入れ替えることができる。
【００１６】
あるいは、本発明は、前記入力部は、インデックスの切換信号を出力可能であり、この切換信号が出力されたときに、前記表示制御部は、前記表示部に表示されたインデックスの一部を入れ替える表示処理を行うものである。
【００１７】
この場合には、切換信号を出力することにより、表示部に表示されているインデックスは、その一部が順に入れ替わるようにスクロール表示されるものとなる。
【００１８】
この場合に、前記インデックスを入れ替える前記切換信号を出力する別個のスイッチ入力部が設けられているものであってもよいし、前記前記位置検出信号と前記選択確定信号の少なくとも一方を利用して、前記インデックスを入れ替える前記切換信号が生成されるものであってもよい。
【００１９】
本発明での前記メイン情報は、例えばデジタルテレビジョン放送の各チャンネルのような所定の時間長の画像情報であり、前記インデックスは、前記画像情報のタイトル表示である。
【００２０】
または、前記メイン情報は、例えばディジタル撮影された写真などのように前記表示部に一度に表示可能な画像情報であり、前記インデックスは、前記画像情報の縮小表示または簡易化表示である。
【００２１】
あるいは、前記メイン情報は、画像処理装置の操作情報表示または設定操作表示であり、前記インデックスは、前記操作情報表示または設定操作表示のタイトル表示である。
【発明の効果】
【００２２】
本発明では、多量の情報の選択を容易に且つ確実に行うことができ、選択されたメイン情報を直ちに読み出すことが可能である。
【発明を実施するための最良の形態】
【００２３】
図１は本発明の第１の実施の形態の画像処理装置の外観図、図２は前記画像処理装置の構成ブロック図、図３は操作部の操作面を示す平面図、図４は操作部の内部構造を示すものであり図３のＩＶ−ＩＶ線の断面図、図５は操作面上での操作の一例を示す説明図、図６は図５に示す操作に対応した表示部での表示形態の説明図、図８は第１の実施の形態の画像処理装置の動作フローチャート、図７は本発明の第１の実施の形態の表示形態の説明図である。
【００２４】
図１に示す画像処理装置１は、ワイアレス方式のリモコンである入力部２と、前記入力部２によって操作される表示装置本体３を有している。なお、本発明は、前記入力部２と表示装置本体３とが一体化されたものであってもよい。
【００２５】
前記入力部２は、図２に示すように、位置を入力する座標検出装置４と、選択確定の入力を行うスイッチ操作部１０とを有している。前記入力部２には、入力制御部５が設けられており、この入力制御部５では、前記座標検出装置４の入力に応じた位置検出信号が生成され、また前記スイッチ操作部１０の入力に応じた選択確定信号やその他の切換信号が生成される。入力部２には赤外線送信方式またはＲＦ送信方式の送信部６が備えられており、前記位置検出信号と前記選択確定信号などが、前記送信部６から表示装置本体３に送信される。
【００２６】
前記入力部２は、ケース７を有しており、このケース７の上面が平面的な操作面８となっている。なお、前記操作面８は球面などの曲面形状であってもよい。
【００２７】
図３には前記操作面８が拡大して表示されているが、この操作面８には所定面積の位置入力領域８ａが設定されている。この位置入力領域８ａは、前記ケース７の前記操作面８において、他の箇所と異なる色彩にし、あるいは他の領域よりもわずかに窪ませたり、わずかに突出させるなどして、他の領域と識別できるようになっている。
【００２８】
図４に示すように、前記操作面８の内側に接近した位置では、前記位置入力領域８ａに対応する大きさの前記座標検出装置４が設けられている。この座標検出装置４は静電容量式である。
【００２９】
静電容量式の座標検出装置４は、誘電体基板に、Ｙ方向へ延びてＸ方向へ一定のピッチで形成されたＸ位置検出電極と、隣り合うＸ位置検出電極との間にそれぞれ位置するアース電極とが設けられ、指などの導電体が操作面８に触れたときの、Ｘ位置検出電極とアース電極との間の静電容量の変化が検出され、これによって操作面８ａにおいて操作体が触れた位置のＸ座標が検出される。同様に、Ｘ方向に延びてＹ方向へ一定のピッチで形成されたＹ位置検出電極と、隣り合うＹ位置検出電極の間にそれぞれ位置するアース電極とが設けられて、前記と同様にして操作面８において操作体が触れた位置のＹ座標位置が検出できるようになっている。
【００３０】
図３に示すように、前記操作面８では、前記座標検出装置４が設けられた前記位置入力領域８ａ内に、複数の押釦が配列して設けられている。この実施の形態では、前記位置入力領域８ａ内に、選択確定入力を行うための９個の押釦１２ａ，１２ｂ，１２ｃ，１２ｄ，１２ｅ，１２ｆ，１２ｇ，１２ｈ，１２ｉがＸ方向とＹ方向にそれぞれ列を成すように並んで配列している。前記押釦１２ａ〜１２ｉはそれぞれ操作面８とほぼ同一に配列しており、位置入力領域８ａでは、前記押釦１２ａ〜１２ｉが存在している部分が、それぞれ選択確定操作を行うための選択位置表示としても機能している。図３と図５では、それぞれの押釦に「１」「２」・・・「９」の識別表示を付しているが、押釦には数字以外の識別表示を付してもよいし、あるいは何ら識別表示を付さなくてもよい。
【００３１】
図４に示すように、前記押釦１２ａ〜１２ｉのそれぞれの背面にはその中央部からケース７の内方へ突出する突起１３が一体に形成されており、それぞれの突起１３は、前記座標検出装置４に形成された貫通穴４ａを通過して座標検出装置４の裏面側へ突出している。
【００３２】
前記座標検出装置４の背面には、配線基板１４が並行に対向して設けられており、この配線基板１４に反転ばね接点を有するスイッチ素子１５が配列して設けられており、前記押釦１２ａ〜１２ｉのそれぞれに設けられた前記突起１３が前記スイッチ素子１５の反転ばね接点に対向している。
【００３３】
前記操作面８の前記位置入力領域８ａに、操作体である指を触れると、前記座標検出装置４から指が触れた位置の座標情報が出力され、前記位置入力領域８ａに触れた指を摺動させると、座標検出装置４から指の位置の変化に応じた座標情報が出力される。図４に示すように、それぞれの前記押釦１２ａ〜１２ｉに設けられた突起１３はその断面積が小さいものであり、それぞれの前記押釦１２ａ〜１２ｉの内側に前記座標検出装置４が対向している。よって、前記位置入力領域８ａにおいて、前記押釦１２ａ〜１２ｉの表面を指で触ったときにも、その接触位置に関する座標情報が得られるようになっている。
【００３４】
また、いずれかの前記押釦１２ａ〜１２ｉを押すと、その押釦と一体の突起１３によって反転ばね接点が押されて反転し、押圧操作した押釦に対応する位置のスイッチ素子１５のスイッチ出力が切換えられる。
【００３５】
図３に示すように、操作面８には、前記位置入力領域８ａから外れた左右両側に、切換入力用の押釦１６ａと押釦１６ｂが設けられている。図４に示すように、前記押釦１６ａと押釦１６ｂの内面にはそれぞれ突起１７が一体に設けられており、前記配線基板１４上に設けられたスイッチ素子１８ａ，１８ｂの反転ばね接点を動作させることができるようになっている。図４に示すように、押釦１６ａと押釦１６ｂの裏には前記座標検出装置４が対向していない。
【００３６】
前記表示装置本体３内は、各種制御を行うブロックに区分されるが、図２では、操作処理部２１と、表示部２０を有する本体処理部２２とを図示している。
【００３７】
前記操作処理部２１は、前記入力部２から送信される操作信号を処理するためのものである。この操作処理部２１は、表示装置本体３内において前記本体処理部２２内に組み込まれることも可能であり、またその一部が前記入力部２に付随するソフトウエアとして表示装置本体３内に設けられた主制御部にインストールして用いることも可能である。
【００３８】
前記操作処理部２１は、前記入力部２の送信部６から送信された赤外線またはＲＦ信号による操作信号を受信処理する受信信号処理部２３と、前記受信信号処理部２３で受信された前記操作信号を解析して、本体処理部２２での画像表示形態を制御する表示制御部２４とを有している。
【００３９】
前記本体処理部２２は、画像信号を生成して前記表示部２０に与える画像表示処理部２５を有している。画像処理装置１がディジタルテレビジョン受像機である場合、アンテナ２６から入力された信号またはケーブルから入力された信号がデコーダを主体とした入力処理部２７により復調され、表示データ処理部２８でデータ処理されて、表示すべき画像情報が画像表示処理部２５に与えられる。
【００４０】
また表示すべき画像情報が大容量記憶装置２９に記憶されている場合には、この大容量記憶装置２９から読み出された画像情報が表示データ処理部２８でデータ処理されて画像表示処理部２５に与えられる。前記大容量記憶装置２９は、ハードディスク装置などである。
【００４１】
また、前記表示部２０は、液晶表示装置、プラズマ表示装置、ＣＲＴ表示装置などである。
【００４２】
次に、前記画像処理装置１における入力操作と画像表示形態の一例を説明する。
この画像処理装置１では、図６（Ａ）に示すように、表示部２０の画面にインデックスＩ１，Ｉ２，Ｉ３，Ｉ４，Ｉ５，Ｉ６，Ｉ７，Ｉ８，Ｉ９が上下方向と左右方向に列を成すように表示される。例えばメイン情報が多チャンネルのディジタルテレビジョン画像である場合には、前記インデックスは、各チャンネルごとのその時点での番組タイトル、番組の説明、主な場面の静止画、あるいは予告動画（サマリー動画）などである。
【００４３】
ディジタルテレビジョン画像は、そのチャンネル数が数十から数百に達することがあるが、表示部２０の画面には、多数のチャンネルのうちの一部の数のインデックスが集合体となって表示される。そして、画面に表示される複数のインデックスのうちの少なくとも一部は、入力部１の操作面８に配列している選択確定操作を行うための前記押釦１２ａ〜１２ｉと同じ数で、且つ前記押釦１２ａ〜１２ｉに対応した配列で表示されている。この実施の形態では、操作部２の操作面８の位置入力領域８ａに配列する押釦１１ａ〜１１ｉがＸ方向とＹ方向へ３列ずつの合計９個設けられており、表示部２０の画面には、インデックスＩ１〜Ｉ９が、上下左右に３列ずつで合計９個表示されている。
【００４４】
このように表示部２０にインデックスＩ１〜Ｉ９が１つの集合体として表示されている状態で、入力部３に設けられた右側の押釦１６ａが押され、スイッチ素子１８ａがこれを検知すると、その切換信号が入力部２の送信部６から表示装置本体３の受信信号処理部２３に与えられる。
【００４５】
前記切換信号が与えられると、表示制御部２４から表示データ処理部２８と画像表示処理部２５に切換情報が与えられる。表示データ処理部２８と画像表示処理部２５では、前記操作信号が与えられたときに、表示部２０に表示されているインデックスＩ１〜Ｉ９の集合体を画面上で右方向へ移動させながら消去する。同時に、他の集合体であるインデックスＩ１１．Ｉ１２，Ｉ１３，Ｉ１４，Ｉ１５，Ｉ１６，Ｉ１７，Ｉ１８，Ｉ１９が、表示画面を右方向へ移動するように進行し、このインデックスＩ１１〜Ｉ１９が、画面に上下に配列した状態で表示される。
【００４６】
逆に、入力部３の操作面８の左側に設けられた押釦１６ｂが押され、スイッチ素子１８ｂがこれを検知すると、図６（Ａ）に示すインデックスＩ１〜Ｉ９の集合体が左の方へ移動して消去され、他の集合体であるインデックスＩ２１、Ｉ２２，Ｉ２３，Ｉ２４，Ｉ２５，Ｉ２６，Ｉ２７，Ｉ２８，Ｉ２９が、左へ移動するように進行し、画面に列を成すようにして表示される。
【００４７】
このように、入力部２の左右に位置する押釦１６ａまたは押釦１６ｂを押すことにより、表示されるインデックスの集合体を切換えることができる。あるいは、前記押釦１６ａ，１６ｂに加えて、位置入力領域８ａの上下に押釦を配置し、この上下の押釦と前記押釦１６ａ，１６ｂの双方を利用して、表示部２０に表示されるインデックスの集合体を切換えることもできる。
【００４８】
前記インデックス表示は、操作時点で放映されている多チャンネルのそれぞれの番組のタイトル等を表示するものであってもよいし、または録画予約を行う場合には、上下の押釦を押すことで、放送日および放映時刻を選択し、左右の押釦１６ａ，１６ｂを押すことによって、選択された前記放映時刻に放映予定の番組のインデックスの集合体を表示するようにしてもよい。
【００４９】
さらに、この画像処理装置１では、大容量記憶部２９に記憶されている画像情報を読み出して表示部２０に表示することもできる。この場合に大容量記憶部２９から読み出されるメイン情報は、所定時間継続して画像が表示される動画であってもよいが、またはデジタルカメラなどで撮影した静止画像、すなわち一時に表示部２０の画面に表示できる画像データであってもよい。この場合に表示部２０に表示されるインデックス表示は、それぞれの静止画像データを縮尺表示処理したもの、または前記静止画像データを簡易化表示したもの、または前記表示画像データのタイトル、あるいは撮影日付や場所などの表示のみであってもよい。
【００５０】
また、この画像処理装置１では、前記押釦１６ａまたは押釦１６ｂを押す度に、その時点で表示部２０に表示されているインデックスのうちの一部が画面から左右に移動して消去され、これに応じて他のインデックスが画面に入ってくるような、いわゆるスクロール的動作を行うものであってもよい。
【００５１】
この場合に、メイン情報が前記静止画像データである場合には、前記静止画像データが撮影日または大容量記憶部２９へ記憶させた日付ごと、または後から付加した日付順に、インデックス表示が順にスクロール表示されるように構成することができる。あるいは、前記静止画像データに対応するインデックス表示がインデックスの集合体ごとにまとめて切換表示されるものであってもよい。
【００５２】
次に、図６（Ａ）に示すように、表示部２０にインデックスＩ１〜Ｉ９の集合体が配列しているときに、図５に示すように、入力部３の位置入力領域８ａに操作体である指３５を触れると、座標検出装置４は、指３５が触れた位置の座標情報を出力し、この座標情報が位置検出信号として送信部６から送信されて、表示装置本体３に設けられた受信信号処理部２３に与えられる。さらに表示制御部２４では、前記位置検出信号に基づいて表示データ処理部２８および画像表示処理部２５の処理動作を制御し、表示部２０では、位置入力領域８ａ上での指の動きに応じて、インデックスＩ１〜Ｉ９を選択表示する。
【００５３】
図５では、一例として、指３５を押釦１２ｇの位置に触れた後に、指３５を上方へ摺動させて押釦１２ｄ、押釦１２ａの順に走査し、次に指３５を右方向へ摺動させて押釦１２ｂに触れ、さらに指３５を下に向けて摺動させ、押釦１２ｅに触れた位置で指３５を停止させる動作を示している。この場合に、図６（Ａ）に示す表示部２０では、位置入力領域８ａでの指３５の摺動走査軌跡に対応して、インデックスＩ７、インデックスＩ４、インデックスＩ１、インデックスＩ２、インデックスＩ５が順に指３５の動きに追従して選択表示されていく。
【００５４】
前記インデックスの選択表示とは、位置入力領域８ａにおいて指３５が触れた位置に対応するインデックスが他のインデックスと相違するように表示されることを意味している。例えば、図６（Ａ）に示すインデックスＩ５のように、選択されていない他のインデックスと比較して明るく表示され、または他のインデックスと異なる色彩に表示される。または選択されたインデックスのみが、番組内容を表す画像や動画となり、他のインデックスがタイトル名だけとなるように、選択されたインデックスを他のインデックスと異なる表示内容としてもよい。
【００５５】
さらには、選択されたインデックスのみが、その表示枠が表示部２０の画面と同じ大きさに拡張されてもよい。すなわち、指がいずれかの押釦に触れたときにその押釦に対応するインデックスの表示領域が拡大され、指が前記押釦から外れると、前記インデックスの表示領域が元の小さい寸法枠に戻るような表示となるものであってもよい。
【００５６】
次に、位置入力領域８ａ上で指３５を摺動させていずれかのインデックスを選択表示させている状態で、そのインデックスに対応する押釦を押すと、前記インデックスに対応したメイン情報が呼び出される。図５と図６（Ａ）に示す例では、指３５が押釦１２ｅに触れて止まっており表示装置２０では中央のインデックスＩ５が選択表示されている。その状態で前記押釦１２ｅを押してスイッチ素子１５をＯＮに切り替え、その切換信号が表示制御部２４に与えられると、表示データ処理部２８にアクセスされて前記インデックスＩ５に対応するメイン情報が読み出される。
【００５７】
例えば、インデックスＩ５でタイトルが表示されているテレビチャンネルが選択されてその画像情報が呼び出され、図６（Ｂ）に示すように、選択されたテレビチャンネルの番組画像が表示部２０の画面の大きさに拡大されて表示される。
【００５８】
ここで、入力部３の位置入力領域８ａ内に指３５が触れているときには、座標検出装置４からの位置検出信号によって、押釦１２ａ〜１２ｉのうちのどの押釦に指３５が触れているのか表示制御部２４で認識されている。そして、指が触れている押釦が押されてスイッチ素子１５がＯＮに切換えられたときに、表示制御部２４では、前記位置検出信号が解れば、どのインデックスに対する選択確定操作を行ったのかを確定できる。
【００５９】
そのため、各押釦１２ａ〜１２ｉに対応しているスイッチ素子１５の切換出力は、各押釦毎に識別させる必要はなく、どのスイッチ素子１５がＯＮに切換えられたとしても、入力部２からは１種類の操作信号のみが送信されればよい。よって、入力部２からの送信データの内容としては、Ｘ−Ｙ座標データとスイッチ素子１５の切換信号のみ、そしてスイッチ素子１８ａ，１８ｂの切換信号を送信すればよく、送信データの内容を簡略化できる。
【００６０】
なお、前記インデックスとメイン情報との対応関係としては、内部の大容量記憶部２９に記憶されている番組その他の情報と、そのインデックスであってもよい。また、表示部２０に表示されるインデックスが、外部から受信したテレビチャンネルのタイトル表示と大容量記憶部２９に記憶されている情報のインデックスとが混在したものであってもよい。
【００６１】
あるいは、インデックスが、表示装置本体３の各種操作情報や各種設定情報のタイトルを示すものであって、いずれかのインデックスの選択を確定したときに、操作用画面や設定用画面が拡大して現れるものであってもよい。
【００６２】
図８は、前述した第１の実施の形態の表示切換え動作を行う際の、表示制御部２４の制御動作を示している。
【００６３】
図８ではフローのステップを「ＳＴ」で表している。ＳＴ１では、図６（Ａ）に示すように、表示部２０の画面にインデックスＩ１〜Ｉ９の集合体が表示されている状態で入力部２からの操作信号を待つ。ＳＴ２で入力部２から操作信号を受信したと判断すると、ＳＴ３において、前記操作信号が、座標検出装置４からの位置検出信号か否か判断する。ＳＴ３において操作信号が座標検出装置４からの位置検出信号であると判断すると、ＳＴ４において入力された座標位置の認識を行う。
【００６４】
ＳＴ５では、認識した座標位置が表示部２０に表示されているインデックスに相当する位置であるか否か判断し（指３５の接触位置が押釦１２ａ〜１２ｉのほぼ中心の位置であるか否か判断し）、インデックスに相当する位置であると判断すると、ＳＴ６に進んで、選択されたインデックスの識別表示を行わせる。
【００６５】
ＳＴ７においては、操作面８上に触れている指３５がさらに移動して他のインデックスを選択する位置に至ったか否か判断する。指が移動していなければそのままインデックスの選択表示を継続し、指が移動して他のインデックスを選択する位置へ移動すると、ＳＴ５からＳＴ６に移行して新たなインデックスを選択表示する。
【００６６】
前記ＳＴ３において、受信信号処理部２３で受信した操作信号が座標検出装置４からの位置検出信号ではないと判断されたときには。ＳＴ８に移行して、操作信号が前記押釦１６ａまたは１６ｂ（スイッチ素子１８ａまたは１８ｂ）を押した切換信号か否か判断する。
【００６７】
前記ＳＴ８において、操作信号が前記切換信号であると判断されたときには、ＳＴ９に移行して、操作されたのが右側の押釦１６ａか左側の押釦１６であるかを判断する。そしてＳＴ１０に移行して、右側の押釦１６ａが操作されたときには、インデックスＩ１〜Ｉ９の集合体の表示を、インデックスＩ１１〜Ｉ１９の集合体に切換えて表示し、左側の押釦１６ｂが操作されたときには、インデックスＩ１〜Ｉ９の集合体の表示を、インデックスＩ２１〜Ｉ２９の集合体に切換えて表示する。
【００６８】
前記ＳＴ８において、入力部３から入力された操作信号が座標検出装置４からの位置検出信号ではなく、且つ押釦１６ａまたは押釦１６ｂの操作による信号ではないと判断されたときには、まずＳＴ１１に移行して、表示部２０に表示されているインデックスの集合体の表示が確定しているか、すなわち表示部２０に表示されているインデックス集合体が切換途中ではなく確定しているかを判断する。確定していると判断されたときにはＳＴ１２に移行して、インデックス集合体のうちのいずれかのインデックスが選択されているか否かを判断する。
【００６９】
ＳＴ１２においていずれかのインデックスが選択されていると判断され、すなわち操作面８において指３５が押釦１２ａ〜１２ｉのうちのいずれかの押釦のほぼ中央部分に触れていると判断されたときには、ＳＴ１３においてスイッチ素子１５がＯＮに切換えられたか否か判断する。ＯＮに切換えられていると判断されたときには、ＳＴ１４に移行してメイン情報の読み出し処理が行われる。
【００７０】
図７は本発明の第２の実施の形態での表示装置２０の画面表示例を示している。
この実施の形態では、ある時点で表示部２０に表示されているインデックスが前記押釦１２ａ〜１２ｉの数よりも多くなっている。すなわち、インデックスＩａ，Ｉｂ，Ｉｃ，Ｉｄ，Ｉｅ，Ｉｆ，Ｉｇ，Ｉｈ，Ｉｉが、押釦１２ａ〜１２ｉの数および配列に対応して表示されており、さらにインデックスＩａの画面奥側にインデックスＩａ１，Ｉａ２，・・・が重ねられて表示されている。他のインデックスＩｂ〜Ｉｉにおいても同じである。
【００７１】
入力部３の入力位置検出領域８ａ内に指３５を触れて指３５を移動すると、その移動位置に応じてインデックスＩａ〜Ｉｉのいずれかが選択表示される。図７は、操作釦１２ｄに指が触れてインデックスＩｄが選択表示されている状態を示している。この状態で、押釦１２ｄを押してスイッチ素子１５が動作すると、インデックスＩｄに対応するメイン情報が読み出される。ただし、インデックスＩｄの選択動作を例えば押釦１６ａを押すなどしてキャンセルすると、インデックスＩｄの表示が消えて、その次に重ね表示されているインデックスＩｄ１が同じ位置に選択表示される。そしてこのインデックスＩｄ１が表示されているときに押釦１２ｄを押してスイッチ素子１５をＯＮに切換えると、インデックスＩｄ１に相当するメイン情報が読み出される。前記動作は、他のインデックスＩｂ〜Ｉｉにおいても同じである。
【００７２】
なお、本発明は前記実施の形態に限られず他の態様とすることも可能である。
例えば、入力装置３に設けられているのが静電容量型などの座標検出装置４のみであり、この座標検出装置４を指で操作すると、表示部２０に表示されているインデックスが順に選択されて選択表示される。そして、いずれかのインデックスが選択表示されているときにその位置で指でタップ動作（短時間のみ座標検出装置４に接触しまたは接近する動作）を行ったときに、選択表示されているインデックスの選択が確定してメイン情報が読み出されるように動作するものであってもよい。
【００７３】
また、表示部２０に表示されているインデックスの集合の表示を切換えるために、前記押釦１６ａ，１６ｂを使用するのではなく、座標検出装置４の検出信号や、前記スイッチ素子１５の切換信号のいずれかを利用して、表示されている前記インデックス集合の切換信号を生成してもよい。
【図面の簡単な説明】
【００７４】
【図１】本発明の第１の実施の形態の画像処理装置の外観を示す斜視図、
【図２】前記画像処理装置の回路ブロック図、
【図３】入力部の操作面の拡大平面図、
【図４】図３のＩＶ−ＩＶ線の断面図、
【図５】操作面での操作動作の一例を示す説明図、
【図６】（Ａ）（Ｂ）は表示動作の一例を示す説明図、
【図７】第２の実施の形態での表示形態を示す説明図、
【図８】第１の実施の形態の動作フローチャート、
【符号の説明】
【００７５】
１  画像処理装置
２  入力部
３  表示装置本体
４  座標検出装置
８  操作面
８ａ  位置入力領域
１０  スイッチ操作部
１２ａ〜１２ｉ  押釦
１６ａ，１６ｂ  押釦
１５，１８ａ，１８ｂ  スイッチ素子
２０  表示部
２１  操作処理部
２４  表示制御部
２２  本体処理部
【図１】
2005340869.tif 000003
【図２】
2005340869.tif 000004
【図３】
2005340869.tif 000005
【図４】
2005340869.tif 000006
【図５】
2005340869.tif 000007
【図６】
2005340869.tif 000008
【図７】
2005340869.tif 000009
【図８】
2005340869.tif 000010